(57)【要約】      （修正有）【課題】ＩＣカードやコインを用いてロッカーボックスを解錠でき貸しロッカーシステムにおいて、チャージ金額不足や所持金不足時の利便性を高めるとともに、ロッカーの利用率を高める。【解決手段】ロッカー扉２ａを開けて荷物を収納し、施錠スイッチ２ｄを操作する。集中制御装置１にＩＣカードＣｄをかざす。ＩＣカードＣｄからＩＤコードとチャージデータを集中制御装置１で読み取る。チャージ金額が利用料金に不足していても、利用料金に満たない所定の「許可料金」があればロッカーの利用を可能にし、取り出し時に後払い金の投入により解錠する。コイン式のロッカーの場合、利用料金より少ない枚数のコインでロッカーを利用可能とし、取り出し時に硬貨を投入して解錠する。【選択図】図１
2006127249.tif 000002
【特許請求の範囲】
【請求項１】
基本料金が支払われることによりロッカーの利用を可能にした貸しロッカーシステムにおいて、
前記基本料金に満たない所定の許可料金以上の利用料金が支払われた時にもロッカーの利用を可能にするとともに、ロッカーの利用状態で前記基本料金と前記許可料金以上の利用料金との差額の料金が支払われたときに該利用状態のロッカーの解錠を可能にしたことを特徴とする貸しロッカーシステム。
【請求項２】
携帯手段にチャージされている電子現金により前記料金の支払いを可能にしたことを特徴とする請求項１に記載の貸しロッカーシステム。
【請求項３】
前記電子現金が前記基本料金以上の場合は、前記基本料金を徴収し、前記電子現金が前記基本料金に満たない場合には、前記電子現金全額を徴収することを特徴とする請求項２に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、貸しロッカーシステムは、例えば特開平９−１６１１４７号公報に開示されているように、所定の利用料金（基本料金）の投入によりロッカーの利用を可能にするものである。
【０００３】
また、ロッカーシステムとしてプリペードカードを用いて利用できるものが例えば特開平７−３０５５４号公報に開示されている。このロッカーシステムは、ロッカー使用時にプリペードカードをカードリーダに挿入し、そのプリペードカードから利用料金を引き落としでロッカーを利用できるようにしたものである。
【特許文献１】特開平８−９６２４９号公報
【特許文献２】特開平７−３０５５４号公報
【発明の開示】
【発明が解決しようとする課題】
【０００４】
しかし、特開平８−９６２４９号公報のように硬貨（現金）を投入して利用するものでは、所定枚数数の硬貨を所持していなければロッカーを使用できない。特に、ロッカーを利用しようとして硬貨を投入し、途中で硬貨不足に気づいた場合に両替等を行わなければならないなど、利便性の点で問題がある。また、特開平７−３０５５４号公報のようにプリペイドカードを使用する場合でも、プリペイドカードのチャージ金額が少なくなったときに、使用時の利便性の点で問題が生じる。例えば、プリペードカードの残高度数がロッカー利用料金に満たないときは、プリペードカードを返却するだけであり、そのときは、ロッカーは利用できなくなってしまう。このような事情は利便性の点だけでなく、ロッカーの利用率の低下をも招く。
【０００５】
本発明は、貸しロッカーシステムにおいて、料金不足による不便を低減し、ロッカー利用時の利便性を高くすることを課題とする。
【課題を解決するための手段】
【０００６】
請求項１の貸しロッカーシステムは、基本料金が支払われることによりロッカーの利用を可能にした貸しロッカーシステムにおいて、前記基本料金に満たない所定の許可料金以上の利用料金が支払われた時にもロッカーの利用を可能にするとともに、ロッカーの利用状態で前記基本料金と前記利用料金との差額の料金が支払われたときに該利用状態のロッカーの解錠を可能にしたことを特徴とする。なお、料金の支払いは硬貨の投入などの現金によるものでも、ＩＣカードなどにチャージされた電子現金によるものでもよい。
【０００７】
請求項２の貸しロッカーシステムは、請求項１に記載の貸しロッカーシステムであって、携帯手段における電子現金により前記料金の支払いを可能にしたことを特徴とする。
【０００８】
請求項３の貸しロッカーシステムは、請求項２に記載の貸しロッカーシステムであって、前記電子現金が前記基本料金以上の場合は、前記基本料金を徴収し、前記電子現金が前記基本料金に満たない場合には、前記電子現金全額を徴収することを特徴とする。
【発明の効果】
【０００９】
請求項１の貸しロッカーシステムによれば、基本料金に満たない許可料金を支払えばロッカーを利用できるので、ロッカー利用時の利便性が高くなる。
【００１０】
請求項２の貸しロッカーシステムによれば、請求項１と同様な効果が得られるとともに、チャージされている電子現金が判りにくいＩＣカード等において、さらに利便性が高くなる。
【００１１】
請求項３の貸しロッカーシステムによれば、請求項２と同様な効果が得られるとともに、ＩＣカード等の携帯手段においてチャージされた電子現金が基本料金あるいは許可料金に満たない場合でも、電子現金が全額引き落とされてロッカーを利用できるので、ロッカー利用時の利便性が高くなる。
【発明を実施するための最良の形態】
【００１２】
次に、本発明の貸しロッカーシステムの実施形態を図面を参照して説明する。図１は本発明の第１実施形態の貸しロッカーシステムの外観正面図である。このシステムは集中制御装置１とその両側にそれぞれ複数のロッカーボックス２を配置したものである。集中制御装置１の内部には、レシートや領収書を発行するためのプリンタ１ａ、タッチパネル付きＬＣＤ表示器１ｂ、非接触ＩＣカードＣｄからの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【００１３】
集中制御装置１のパネル面には、プリンタ１ａからレシートや領収書を排出するためのレシート出口１ａ１、ＬＣＤ表示器１ｂの表示窓となる操作表示部１ｂ１、カードリーダ１ｃで電波の送受信を行うアンテナ部１ｃ１、赤外線モジュール１ｄで赤外線を受信する赤外線受信部１ｄ１、紙幣鑑別機１ｅに紙幣を投入するための紙幣投入口１ｅ１、検銭機１ｆに硬貨を投入するための硬貨投入口１ｆ１、検銭機１ｆから硬貨を返却するための硬貨返却口１ｆ２、及び硬貨返却レバー１ｇが配設されている。
【００１４】
また、各ロッカーボックス２は、ロッカー扉２ａの内部に集中制御装置１からの制御信号に基づいてロッカー扉２ａを施解錠する錠装置２ｂ、ロッカー扉２ａの開閉状態を検出する扉開閉スイッチ２ｃ、錠装置２ｂ側の框部に配設された施錠スイッチ２ｄ、施錠スイッチ２ｄの上部に配設された施錠確認用ＬＥＤ２ｅ、ロッカー２ａの錠装置２ｂの近傍に配設された状態表示用ＬＥＤ２ｆをそれぞれ備えている。
【００１５】
図２は集中制御装置１の要部ブロック図である。集中制御装置１はマイクロコンピュータで構成された制御ユニット１００と電源１００Ａを備えており、制御ユニット１００にはプリンタ１ａ、ＬＣＤ表示器１ｂ、カードリーダ１ｃ、赤外線モジュール１ｄ、紙幣鑑別機１ｅ、検銭機１ｆ、各ロッカーボックス２の各錠装置２ｂが接続されている。また、錠装置２ｂには図示しない基板を介して、扉開閉スイッチ２ｃ、施錠スイッチ２ｄ、施錠確認用ＬＥＤ２ｅ、状態表示用ＬＥＤ２ｆがそれぞれ接続されている。制御ユニット１００は、プリンタ１ａへの印字データの出力、ＬＣＤ表示器１ｂへの表示データの出力と操作状態の検出を行う。また、制御ユニット１００は、カードリーダ１ｃ、赤外線モジュール１ｄ、紙幣鑑別機１ｅ及び検銭機１ｆからのデータの入力や紙幣や硬貨の鑑別状態を検出する。さらに、制御ユニット１００は、錠装置２ｂを介して、扉開閉スイッチ２ｃ、施錠スイッチ２ｄの操作状態を検出するとともに、施錠確認用ＬＥＤ２ｅ、状態表示用ＬＥＤ２ｆの駆動制御を行う。そして、制御ユニット１００は後述の制御プログラムに基づいてロッカーシステムの制御を行う。
【００１６】
図３は第１実施形態の携帯電話機Ｔ及び非接触ＩＣカードＣａを用いる場合の通信システムを概念的に示す要部ブロック図である。携帯電話機Ｔには、所定のダウンロード用ＷＥＢサーバ２００から予め通信用のアプリケーションをダウンロードしておく。このアプリケーションのダウンロード時に、この携帯電話機Ｔに対して固有のＩＤコードが設定される。そして、携帯電話機Ｔはこのアプリケーションにより集中制御装置１との間で赤外線通信を行う。また、非接触ＩＣカードＣａは制御ユニット１００の前記カードリーダ１ｃからの特定の電波を受信して起動し、予め記憶されているＩＤコードを送信する。
【００１７】
この実施形態では、操作表示部１ｂ１を操作して操作形態の異なる第１〜第３モードを選択することができるることができる。第１モードでは現金投入による施錠及び暗証番号の発行を行い、暗証番号による解錠を行う。第２モードでは非接触ＩＣカードＣａとそのＩＤコードにより施錠及び解錠を行う。第３モードでは携帯電話機ＴとそのＩＤコードにより施錠及び解錠を行う。
【００１８】
以下、各モードにおける操作方法と装置の動作を説明する。なお、ロッカーボックス２が空き状態（非使用状態）のときは、錠装置２ｂは解錠状態で状態表示用ＬＥＤ２ｆが緑色に点灯されている。また、操作表示部１ｂ１の初期画面には「預け入れ」、「取り出し」等の表示が行われており、利用者は、操作表示部１ｂ１のタッチパネルを操作して、所望の処理を選択する。「預け入れ」を選択し、空き状態のロッカーボックス２に荷物を収納してロッカー扉２ａを閉めると、施錠確認用ＬＥＤ２ｅが橙色で点滅するので、施錠スイッチ２ｄを押す。これにより、錠装置２ｂは仮施錠される。このとき、他に利用者が操作していなければ、施錠確認用ＬＥＤ２ｅが消灯するとともに状態表示用ＬＥＤ２ｆを赤色で点滅する。そして、操作表示部１ｂ１には、「暗証番号」、「ＩＣカード」、「携帯電話」の表示によりモードを選択するように案内が表示されるので、操作表示部１ｂ１のタッチパネルを操作してモードを選択する。
【００１９】
第１モード（暗証番号）：利用者が「預け入れ」を選択して荷物の投入及び施錠スイッチ２ｄを押し、「暗証番号」を選択する。これにより、操作表示部１ｂ１に利用料金（金額）と利用料金を投入するように案内する表示が行われる。硬貨投入口１ｆ１から硬貨（例えば１００円硬貨）を投入するか、紙幣投入口１ｅ１から紙幣を投入すると錠装置２ｂが施錠され、状態表示用ＬＥＤ２ｆが赤色の点灯に変わり、レシートと領収書が発行される。このレシートには、解錠用の例えば６桁の暗証番号が印刷されている。この第１モードで、硬貨を投入した場合には、利用料金に満たない許可料金が投入された段階でロッカーの利用が可能となり、利用料金と許可料金の差額は取り出し時に投入して解錠することができる。この取り出し時に差額を支払いことを「後払い」という。なお、利用料金を全額投入してもロッカーの利用が可能となることはいうまでもない。例えば、利用料金が３００円のとき許可料金を１００円とすると、百円硬貨１枚で利用可能となる。
【００２０】
解錠操作をするときは、操作表示部１ｂ１の初期画面で「取り出し」を選択するとともに、次の画面で「暗証番号」を選択する。そして、操作表示部１ｂ１から暗証番号を入力すると、「後払い」でない場合は、所定の利用時間内であれば錠装置２ｂが解錠されて、状態表示用ＬＥＤ２ｆが赤の点滅となる。時間超過による追加料金が発生している場合や「後払い」であった場合には、暗証番号を入力した後、操作表示部１ｂ１に追加の料金投入を案内する表示が行われる。そして、追加の料金を硬貨投入口１ｆ１あるいは紙幣投入口１ｅ１から投入すると、プリンタ１ａによりレシート及び領収書が発行されるとともに、錠装置２ｂが解錠され、状態表示用ＬＥＤ２ｆが赤の点滅となる。後は上記同様に荷物を取り出してロッカー扉２ａを閉めると状態表示ＬＥＤ２ｆが緑色の点灯に変わる。
【００２１】
第２モード（ＩＣカード）：この第２モードでは、第１モードと同様に利用者が「預け入れ」を選択して荷物の投入及び施錠スイッチ２ｄを押し、「ＩＣカード」を選択する。これにより、操作表示部１ｂ１にＩＣカードＣａを集中制御装置１のアンテナ部１ｃ１にかざすように促す表示が行われる。そこで、利用者が非接触ＩＣカードＣａを集中制御装置１のアンテナ部１ｃ１にかざすと、その非接触ＩＣカードＣａのＩＤコードとチャージデータが集中制御装置１側で読み取られる。そして、チャージデータの金額が利用料金以上であれば、そのチャージデータから利用料金を引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。
【００２２】
一方、チャージデータの金額が利用料金未満であれば、不足金額を表示するとともに、今直ぐに現金投入により不足分を支払うか、解錠時に支払う「後払い」とするかを選択するように案内する表示が行われる。「後払い」を選択すると、引き落とし可能な金額をチャージデータから引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。今直ぐに現金投入で支払う場合を選択すると、現金操作表示部１ｂ１に不足料金を投入するように案内する表示が行われ、料金を硬貨投入口１ｆ１あるいは紙幣投入口１ｅ１から投入すると錠装置２ｂが施錠され、状態表示用ＬＥＤ２ｆが赤色の点灯に変わり、レシートと領収書が発行される。
【００２３】
解錠操作をするときは、操作表示部１ｂ１の初期画面で「取り出し」を選択するとともに、次の画面で「ＩＣカード」を選択する。そして、非接触ＩＣカードＣａをアンテナ部１ｃ１にかざすと、前記同様集中制御装置１でＩＤコード、チャージデータが読み取られ、「後払い」でない場合は、所定の利用時間内であれば錠装置２ｂが解錠されて状態表示用ＬＥＤ２ｆが赤の点滅となる。時間超過による追加料金が発生している場合や「後払い」であった場合には、前記ＩＤコードが読み取られた後、操作表示部１ｂ１に追加の料金支払いを案内する表示が行われる。そして、追加の料金を投入するとレシートと領収書が発行されるとともに、錠装置２ｂが解錠され、状態表示用ＬＥＤ２ｆが赤の点滅となる。そして、ロッカー扉２ａを開いて荷物を取り出し、ロッカー扉２ａを閉めると、状態表示ＬＥＤ２ｆが緑色の点灯に変わり、空き状態を表示する。
【００２４】
第３モード（携帯電話）：利用者が「預け入れ」を選択して荷物の投入及び施錠スイッチ２ｄを押し、「携帯電話」を選択する。これにより、操作表示部１ｂ１に、携帯電話機Ｔにおいてアプリケーション（ロッカー利用アプリ）を起動して「ロッカーと通信」を選択するように促す表示が行われる。そこで、携帯電話機Ｔを集中制御装置１の赤外線受信部１ｄ１にかざして通信を行うと、該携帯電話機ＴのＩＤコード、チャージデータ、電話番号等の各種情報が集中制御装置１側で読み取られる。そして、チャージデータの金額が利用料金以上であれば、そのチャージデータから利用料金を引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。
【００２５】
一方、チャージデータの金額が利用料金未満であれば、不足金額を表示するとともに、今直ぐに現金投入により不足分を支払うか、解錠時に支払う「後払い」とするかを選択するように案内する表示が行われる。「後払い」を選択すると、引き落とし可能な金額をチャージデータから引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。今直ぐに現金投入で支払う場合を選択すると、第２モードと同様に料金投入による処理が行われる。
【００２６】
解錠操作をするときは、操作表示部１ｂ１の初期画面で「取り出し」を選択するとともに、次の画面で「携帯電話」を選択する。そして、携帯電話機Ｔを赤外線受信部１ｄ１にかざして通信すると、前記同様集中制御装置１でＩＤコード、チャージデータ、電話番号等の各種情報が読み取られ、「後払い」でない場合は、所定の利用時間内であれば錠装置２ｂが解錠されて状態表示用ＬＥＤ２ｆが赤の点滅となる。時間超過による追加料金が発生している場合や「後払い」であった場合には、前記ＩＤコードが読み取られた後、操作表示部１ｂ１に追加の料金支払いを案内する表示が行われる。そして、追加の料金を投入するとレシートと領収書が発行されるとともに、錠装置２ｂが解錠され、状態表示用ＬＥＤ２ｆが赤の点滅となる。後は前記同様に荷物を取り出してロッカー扉２ａを閉めると状態表示ＬＥＤ２ｆが緑色の点灯に変わる。
【００２７】
なお、各モードにおいて、施錠／解錠の対象とするロッカーボックス２は、暗証番号（第１モード）、非接触ＩＣカードＣａのＩＤコード（第２モード）、携帯電話機ＴのＩＤコードに対応する解錠番号（第３モード）と、それぞれ対応付けられており、解錠操作のとき、集中制御装置１において、これらの暗証番号、ＩＤコード、解錠番号を確認し、認証されれたその暗証番号、ＩＤコードあるいは解錠番号に対応する対象ロッカーボックス２を特定し、解錠を行っている。
【００２８】
図４は集中制御装置１の制御ユニット１０における制御プログラムの預け入れ処理の要部フローチャート、図５は同制御プログラムの取り出し処理の要部フローチャートであり、同フローチャートを参照しながら動作を説明する。図４の処理は図示しないメイン処理において「預け入れ」を選択したとき起動されるサブルーチンであり、図５の処理はメイン処理において「取り出し」を選択したとき起動されるサブルーチンである。なお、これらのフローチャートは主に第２モード（ＩＣカード）の処理を示している。なお、第１モードにおける硬貨の投入に対応する処理は、レシートで暗証番号を発行する処理以外は、後述の第２実施形態と同様であり、また、第３モードにおける携帯電話の処理は、ＩＣカードの処理と略同様であるので、以下の説明では主に第２モードについて説明する。
【００２９】
図４の預け入れ処理では、ステップＳ１及びステップＳ２で施錠スイッチ２ｄがＯＮされるのを監視し、ＯＮされずに所定時間経過するとステップＳ２からメインルーチンに復帰する。施錠スイッチ２ｄがＯＮされると、ステップＳ３で錠装置２ｂを仮施錠し、ステップＳ４で、操作表示部１ｂ１において第１〜第３モードのいずれのモードが選択されるかを判定する。第１モードが選択されればステップＳ５で暗証番号の処理（第１モードの処理）を行い、第２モードが選択されればステップＳ６で利用料金を表示してステップＳ８に進む。第３モードが選択されればステップＳ７で携帯電話の処理（第３モードの処理）を行う。
【００３０】
なお、ステップＳ５の暗証番号の処理では、利用料金の表示、利用料金の投入有無の判定、投入があれば錠装置２ｂの施錠、状態表示用ＬＥＤ２ｆの点灯、暗証番号を印刷したレシートと領収書の発行等の処理を行う。また、ステップＳ７の携帯電話の処理では、携帯電話ＴからのＩＤコード、チャージデータ及び電話番号の読み取り、上記同様に利用料金の表示、利用料金の投入有無の判定、錠装置２ｂの施錠、状態表示用ＬＥＤ２ｆの点灯、レシートと領収書の発行等の処理を行う。また、このステップＳ５及びステップＳ７でも前記の「後払い」に対応する処理も行う。
【００３１】
第２モードで利用料金を表示すると、ステップＳ８で、ＩＣカードＣａからデータの読み取りを行い、ＩＣカードＣａのＩＤコード、チャージデータの情報を読み取り、ＩＤコードの確認とチャージデータの確認を行う。次に、ステップＳ９でチャージデータの金額（チャージ金額）が利用料金以上であるか否かを判定する。チャージ金額が利用料金以上（同額も含む）であれば、ステップＳ１０で利用料金をチャージデータから引き落とし（ＩＣカードのチャージデータを書き換える。）、レシートを発行し、ステップＳ２２で錠装置２ｂを本施錠してメインルーチンに復帰する。
【００３２】
ステップＳ９でチャージ金額が利用料金以上でなければ、ステップＳ１１でチャージ金額が許可料金以上であるか否かを判定する。許可料金以上でなければ、ステップＳ１２で、不足金額と、料金を投入（支払い）を依頼する表示を行い、ステップＳ１２ａで許可料金の不足金額が投入されなければステップＳ１１に戻り、許可料金の不足金額が投入されたらステップＳ１５に進む。なお、フローチャートでは省略しているが、投入料金に対してつり銭が生じている場合は払い出しの処理も行う。
【００３３】
ステップＳ１１でチャージ金額が許可料金以上であれば、ステップＳ１３に進み、利用料金に対する不足金額を表示するとともに、現時点で直ぐに不足料金を支払うか、「後払い」にするかの選択を促す表示を行う。そして、ステップＳ１４でタイマーをスタートさせ、ステップＳ１５及びステップＳ１６で選択指示があるのを監視し、選択指示がなく所定時間経過するとステップＳ１６からメインルーチンに復帰する。
【００３４】
選択指示があれば、ステップＳ１７で「後払い」であるかを判定し、「後払い」が選択されたらステップＳ２１に進み、直ぐに支払う処理が選択されたらステップＳ１８に進む。ステップＳ１８はタイマーをスタートさせ、ステップＳ１９及びステップＳ２０で満額の料金が投入されるのを監視し、満額の料金が投入されずに所定時間経過するとステップＳ２０からメインルーチンに復帰する。所定時間内に満額の料金が投入されると、ステップＳ２１に進む。なお、フローチャートでは省略しているが、投入料金に対してつり銭が生じている場合は払い出しの処理も行う。ステップＳ２１では、許可料金をチャージデータから引き落とし、不足金額を制御部のメモリに記憶し、レシートを発行する。そして、ステップＳ２２で錠装置２ｂを本施錠してメインルーチンに復帰する。
【００３５】
図５の取り出し処理では、ステップＳ３１で、操作表示部１ｂ１において第１〜第３モードのいずれのモードが選択されるかを判定する。第１モードが選択されればステップＳ３２で暗証番号の処理（第１モードの処理）を行い、第２モードが選択されればステップＳ３３に進む。第３モードが選択されればステップＳ３４で携帯電話の処理（第３モードの処理）を行う。
【００３６】
なお、ステップＳ３２の暗証番号の処理では、ロッカー番号と暗証番号の入力画面の表示、ロッカー番号と暗証番号の入力受付及び確認等を行い、入力されたロッカー番号に対応する暗証番号であると確認されたら、錠装置２ｂの解錠、状態表示用ＬＥＤ２ｆの点灯等の処理を行う。また、ステップＳ３４の携帯電話の処理では、非接触ＩＣカードＣａからのＩＤコードの読み取り、ＩＤコードの確認、ＩＤコードに対応するロッカーの錠装置２ｂの解錠、状態表示用ＬＥＤ２ｆの点灯等の処理を行う。また、このステップＳ３２及びステップＳ３４でも前記の「後払い」に対応する処理も行う。
【００３７】
第２モードが選択されると、ステップＳ３３で、ＩＣカードＣａからデータの読み取りを行い、ＩＣカードＣａのＩＤコード、チャージデータの情報を読み取り、ＩＤコードの確認とチャージデータの確認を行う。次に、ステップＳ３５で超過料金が発生しているかを判定し、発生していなければステップＳ３６で「後払い」状態であるかを判定し、「後払い」状態でなければステップＳ４４でＩＤコードに対応するロッカーの錠装置２ｂを解錠してメインルーチンに復帰する。
【００３８】
ステップＳ３６で「後払い」状態であるかを判定し、「後払い」状態でなければ、ステップＳ４４でＩＤコードに対応するロッカーの錠装置２ｂを解錠してメインルーチンに復帰する。「後払い」状態であればステップＳ３７で後払い料金を表示し、料金を投入（支払い）を依頼する表示を行い、ステップＳ４１でタイマーをスタートさせる。そして、ステップＳ４２及びステップＳ４３で満額の料金が投入されるのを監視し、満額の料金が投入されずに所定時間経過するとステップＳ４３からメインルーチンに復帰する。所定時間内に満額の料金が投入されると、ステップＳ４４でＩＤコードに対応するロッカーの錠装置２ｂを解錠してメインルーチンに復帰する。
【００３９】
ステップＳ３５で超過料金が発生していれば、ステップＳ３８で「後払い」状態であるかを判定し、「後払い」状態でなければ、ステップＳ３９で超過料金を表示し、料金を投入（支払い）を依頼する表示を行い、ステップＳ４１に進む。そして、前記同様に所定時間内に満額が投入されなければそのままメインルーチンに復帰し、所定時間内に満額が投入されれば、ステップＳ４４でＩＤコードに対応するロッカーの錠装置２ｂを解錠してメインルーチンに復帰する。ステップＳ３５で「後払い」状態であれば、ステップＳ４０で超過料金と後払い料金とを加算した料金を表示し、料金を投入（支払い）を依頼する表示を行い、ステップＳ４１に進む。そして、前記同様に所定時間内に満額が投入されなければそのままメインルーチンに復帰し、所定時間内に満額が投入されれば、ステップＳ４４でＩＤコードに対応するロッカーの錠装置２ｂを解錠してメインルーチンに復帰する。
【００４０】
以上の処理により、ＩＣカードにチャージされている電子現金の金額が判らなくても、「許可料金」分だけあればロッカーが利用が可能となる。このようなＩＣカードのチャージ料金は、利用者は通常意識していないため、利用料金分がなくて利用しようとした場合でも利用できる可能性が高くなり、利便性が向上するとともに、ロッカーの利用率も向上する。
【００４１】
なお、以上の第１実施形態では、ステップＳ１１でチャージ金額が許可料金以上でない場合、許可料金の投入によりロッカーを利用できるようにしているが、チャージ金額が許可料金に満たない場合、チャージ金額の全額を徴収してステップＳ２２に進み、ロッカーを利用できるようにしてもよい。そして、この場合は、取り出し処理において基本料金と前記徴収した全額との差額の料金が支払われたときにロッカーを解錠する。
【００４２】
図６は第２実施形態の貸しロッカーシステムに使用される錠装置の正面図である。図において、前面板２１には、基本料金等を表示する表示窓であるＬＣＤ２０と、ロッカーの使用者が使用前に硬貨を投入する硬貨投入口２２と、キー挿入口２４を有する客錠（シリンダー錠）２３とを備え、内部には硬貨の投入が可能かどうかおよびキー２５操作が可能かどうかを制御する制御装置１０を備えている。そして、コインロッカー装置を使用していない空状態のとき、図示したようにキー挿入口２４にはキー２５が挿入されている。
【００４３】
図７は錠装置部分の縦断側面図、図８は解錠状態を示す同縦断背面図、図９は施錠状態を示す同縦断背面図である。図において、錠装置は、硬貨Ｃが投入されたかどうかを検出するフォトインタラプタ３０と、キー２５の回動の可不可および硬貨Ｃ投入の可不可のための駆動手段である出没自在なコア部４１を備えるソレノイド４０と、施錠および解錠を検出する施解錠検出スイッチ７０と、キー２５の挿入状態および抜出状態を検出するキー抜き差し検出スイッチ８０とを備えている。
【００４４】
前記フォトインタラプタ３０は、硬貨が通過する通路を挟むＬＥＤ（発光ダイオード）とフォトトランジスタとで構成されている。そして通電によりＬＥＤが発光し、通過する硬貨によってこの光が遮られたことをフォトトランジスタで検出する。そしてこの検出信号は制御部に入力され、この制御部で硬貨の個数がカウントされる。
【００４５】
前記ソレノイド４０は、制御部１０からの信号を受けて２安定位置をそれぞれ保持し、客錠２３を回動できないようにロックした状態（ソレノイドのコア上動位置、なお上動位置に関連する部分は実線で示す）と客錠２３を回動できるようにロックを解除した状態（ソレノイドのコア下動位置、なお下動位置に関連する部分は鎖線で示す）との何れかの状態を保持する。
【００４６】
ソレノイド４０のコア部４１の上動により、このコア部４１先端部に取り付けられているアーム部材４２にピン４３を介して係合している連動レバー４４が軸４５を中心として反時計方向に回転し、先端のピン４６は下降する（図８参照）。このピン４６の下降により、ばね４７により軸４８まわりに反時計方向（図８および６中で）に付勢されてピン４９に係合しているレバー５０がフリーとなり、客錠２３と一体に回動するレバー５１に固設されたピン４９に係合する（この状態を図８に示す。）。
【００４７】
前記ピン４９は円弧状孔部５２内で左端の解錠位置と右端の施錠位置との間を移動するように構成されているが、前述したようにレバー５０がピン４９に係合している場合には解錠位置（左端位置）にある客錠２３の施錠回転が規制される（図８参照）。なお、前記レバー５１はその上端部のピン５３が施錠板５４の切欠き部５５に係合しているので、図９に示すように施錠状態では施錠板５４が側方に突出して図示しないロッカー扉に係合してロッカー扉が閉状態に保持される。
【００４８】
また、ソレノイド４０のコア部４１の上動により、連動レバー４４に固定されているアーム部材５６が軸４５廻りに反時計方向に回動する。このアーム部材５６の回動により、アーム部材５６先端のピン５７に係合している略Ｌ字形のアーム部材５８が軸５９廻りに時計方向に回動する。このＬ字形アーム部材５８の回動によりＬ字形アーム部材５８先端に対面していた硬貨投入阻止レバー６０が軸６１廻りに回動可能となる。そして、この硬貨投入阻止レバー６０は巻きばね６２で反時計方向に付勢されているので、この付勢力に抗して硬貨投入口２２から硬貨Ｃが投入された場合に硬貨投入阻止レバー６０は時計方向に回動することができる。したがって、硬貨Ｃの投入が可能の状態となる。このようにソレノイド４０のコア部４１の上動により、客錠２３の施錠回転の規制と硬貨Ｃの投入を可能の状態とすることを連動して行うことができる。
【００４９】
また、ソレノイド４０のコア部４１の下動により、このコア部４１先端に取り付けられているアーム部材４２に係合している連動レバー４４が軸４５を中心として時計方向に回転し、先端のピン４６は上昇する。このピン４６の上昇により、ばね４７により軸まわりに反時計方向に付勢されているレバー５０にピン４６が係合し、このレバー５０を時計方向に回動して円弧状孔部５２が露出する。このようにして施錠位置にある客錠２３の解錠回転が可能となる（図９参照）。
【００５０】
更に、ソレノイド４０のコア部４１の下動により、連動レバー４４に固定されているアーム部材５６が軸４５廻りに時計方向に回動する。このアーム部材５６の回動により、アーム部材５６先端のピン５７に係合している略Ｌ字形のアーム部材５８が軸５９廻りに反時計方向に回動する。このＬ字形アーム部材５８の回動により硬貨投入阻止レバー６０の端部がＬ字形アーム部材５８先端に対向し、硬貨投入阻止レバー６０の軸６１廻りの回動が規制される。したがって、硬貨Ｃの投入が不可能の状態となる。
【００５１】
前記施解錠検出スイッチ７０はマイクロスイッチから構成され、この施解錠検出スイッチ７０は、ピン４９が円弧状孔部５２内で回動されると接点の開閉を行い、施錠状態および解錠状態を検知する。前記キー抜き差し検出スイッチ８０もマイクロスイッチから構成され、このキー抜き差し検出スイッチ８０は、キー２５の挿入に対応して突出し、キー２５の抜出に対応して没入方向に移動するロッド８１により接点の開閉を行い、キー２５が挿入されているかどうかを検知する。
【００５２】
図１０は第２実施形態におけるブロック図である。制御手段１０は図示しないＲＡＭ、ＲＯＭ、Ｉ／Ｏポート等を含むマイクロコンピュータで構成され、ＲＯＭに記憶されている制御プログラムに基づいて後述説明するように各部の制御を行う。制御手段１０のＩ／ＯポートにはＬＣＤ２０、フォトインタラプタ３０、ソレノイド４０、施解錠検出スイッチ７０、キー抜き差し検出スイッチ８０および時計９０が接続されている。
【００５３】
図１１は、制御手段１０のマイクロコンピュータの制御フローを示すフローチャートであり、同図に基づいて動作を説明する。電源の投入により図１１の処理が開始され、ステップＳ５１でＬＣＤ２０に基本料金を表示し、ステップＳ５２でコインが投入されるのを監視する。コインが投入されるとステップＳ５３で料金を減算して表示し、ステップＳ５４で投入コインの料金が許可料金になったか否かを判定する。そして、許可料金にならなければステップＳ５２に進み、ステップＳ５４で許可料金になったら、ステップＳ５５で投入コインの料金に不足金額が有るかを判定し、不足金額がなければステップＳ５７に進み、不足金額があればステップＳ５６で不足金額を制御メモリ（マイクロコンピュータのＲＡＭ）に記憶し、ステップＳ５７に進み、ステップＳ５７でソレノイド４０を駆動して客錠２３の回転を許可してステップＳ５８に進む。なお、この不足料金とは以下の料金である。例えばこの貸しロッカーシステムにおいて利用料金が「３００円」、許可料金が「１００」円に設定されていれば、不足料金は「２００」円である。また、利用料金が「１００円」、許可料金が「１００」円に設定されていれば、不足料金は「０」円（不足料金無し）である。このように、上記の処理は装置の設定に対応する処理である。
【００５４】
次に、ステップＳ５８で、施解錠検出スイッチ７０により、客錠２３が回転されて施錠されるのを監視し、施錠されるとステップＳ５９で時計９０をリセットすることにより計時を開始し、ステップＳ６０に進む。ステップＳ６０では、施解錠検出スイッチ７０により、客錠２３が回転されて解錠されたか判定し、解錠されればステップＳ５８に進み、解錠されなければステップＳ６１で「計時の許可」となっているか否かを判定する。
【００５５】
「計時の許可」となっていなければステップＳ６２で時計９０の計時を停止してステップＳ６４に進み、「計時の許可」となっていれば、ステップＳ６３で計時処理をし、その使用時間をＬＣＤ２０に表示してステップＳ６４に進む。なお、この計時処理は、時計９０の計時を続行させる処理である。ステップＳ６４では使用時間が所定の基本時間より超過しているか否かを判定し、超過していなければステップＳ６６に進み、超過していればステップＳ６５で超過料金と利用開始時の不足料金を加算してＬＣＤ２０に表示し、ステップＳ６６に進む。
【００５６】
ステップＳ６６では、検出スイッチ８０によりキー２５が客錠２３に差されたか否かを判定し、キー２５が差されなければステップＳ３９に戻り、差されていれば図８のステップＳ４５に進む。すなわち、使用者が荷物を預けている間は、ステップＳ３９〜ステップＳ４４の処理を繰り返しており、この間に「計時の許可」となっているときは使用時間の計時を続行し、「計時の許可」となっていないときは、使用時間の計時を中断することになる。
【００５７】
図１２のステップＳ６７以降はキー２５が客錠２３に差された場合の処理であり、超過料金と不足料金による後払い料金が発生しているか否かを判定する。後払い料金が発生していなければステップＳ６８に進み、後払い料金が発生していればステップＳ７１に進む。ステップＳ６８では、キー２５が客錠２３から抜かれたか否かを判定し、抜かれなければステップＳ６９に進み、抜かれれば図１１のステップＳ６６に戻る。ステップＳ６９では、施解錠検出スイッチ７０により、客錠２３が回転されて解錠されたか判定し、解錠されなければステップＳ６８に進み、解錠されたらステップＳ７０でソレノイド４０を駆動して客錠２３の回転を禁止して図１１のステップＳ５１に戻る。
【００５８】
一方、ステップＳ６７で後払い料金が発生している場合は、ステップＳ７１でソレノイド４０を駆動して客錠２３の回転を禁止してステップＳ７２に進み、ステップＳ７２では、キー２５が客錠２３から抜かれたか否かを判定し、抜かれなければステップＳ７４に進み、抜かれればステップＳ７３でソレノイド４０を駆動して客錠２３の回転を許可して図１１のステップＳ６６に戻る。ステップＳ７４ではコインが投入されたか否か判定し、投入されなければステップＳ７２に戻り、コインが投入されればステップＳ７５で料金を減算して表示し、ステップＳ７６でその減算の結果が「０円」になったか否かを判定する。
【００５９】
そして、「０円」にならなければステップＳ７２に進み、「０円」になったら、ステップＳ７７でソレノイド４０を駆動して客錠２３の回転を許可し、ステップＳ７８に進む。ステップＳ７８では、施解錠検出スイッチ７０により、客錠２３が回転されて解錠されるか監視し、解錠されたらステップＳ７９でソレノイド４０を駆動して客錠２３の回転を禁止して図１１のステップＳ５１に戻る。
【００６０】
以上の処理により、例えば、利用料金が「３００」円で許可料金が「１００」円に設定されていれば、１００円を投入するだけでロッカーを利用でき、荷物の取り出し時に不足金を精算してロッカーを解錠することができる。すなわち、硬貨の所持金が少ないときでも、利便性が向上するとともに、ロッカーの利用率も向上する。
【図面の簡単な説明】
【００６１】
【図１】本発明の第１実施の形態の貸しロッカーシステムの外観正面図である。
【図２】第１実施形態における集中制御装置の要部ブロック図である。
【図３】第１実施形態の携帯電話機及び非接触ＩＣカードを用いる場合の通信システムを概念的に示す要部ブロック図である。
【図４】第１実施形態における預け入れ処理のフローチャートである。
【図５】第１実施形態における取り出し処理のフローチャートである。
【図６】第２実施形態の貸しロッカーシステムに使用される錠装置の正面図である。
【図７】第２実施形態における錠装置部分の縦断側面図である。
【図８】第２実施形態における解錠状態を示す同縦断背面図である。
【図９】第２実施形態における施錠状態を示す同縦断背面図である。
【図１０】第２実施形態におけるブロック図である。
【図１１】第２実施形態における処理のフローチャートの一部である。
【図１２】第２実施形態における処理のフローチャートの他の一部である。
【符号の説明】
【００６２】
１      集中制御装置
２      ロッカーボックス
１００  制御ユニット
１ｂ１  操作表示部
１ｃ１  アンテナ部
１ｄ１  赤外線受信部
２ｂ    錠装置
Ｃａ    非接触ＩＣカード
Ｔ      携帯電話機
【図１】
2006127249.tif 000003
【図２】
2006127249.tif 000004
【図３】
2006127249.tif 000005
【図４】
2006127249.tif 000006
【図５】
2006127249.tif 000007
【図６】
2006127249.tif 000008
【図７】
2006127249.tif 000009
【図８】
2006127249.tif 000010
【図９】
2006127249.tif 000011
【図１０】
2006127249.tif 000012
【図１１】
2006127249.tif 000013
【図１２】
2006127249.tif 000014
【手続補正書】
【提出日】平成18年3月2日(2006.3.2)
【手続補正１】
【補正対象書類名】明細書
【補正対象項目名】０００４
【補正方法】変更
【補正の内容】
【０００４】
しかし、特開平８−９６２４９号公報のように硬貨（現金）を投入して利用するものでは、所定枚数の硬貨を所持していなければロッカーを使用できない。特に、ロッカーを利用しようとして硬貨を投入し、途中で硬貨不足に気づいた場合に両替等を行わなければならないなど、利便性の点で問題がある。また、特開平７−３０５５４号公報のようにプリペイドカードを使用する場合でも、プリペイドカードのチャージ金額が少なくなったときに、使用時の利便性の点で問題が生じる。例えば、プリペードカードの残高度数がロッカー利用料金に満たないときは、プリペードカードを返却するだけであり、そのときは、ロッカーは利用できなくなってしまう。このような事情は利便性の点だけでなく、ロッカーの利用率の低下をも招く。
【手続補正２】
【補正対象書類名】明細書
【補正対象項目名】００１２
【補正方法】変更
【補正の内容】
【００１２】
次に、本発明の貸しロッカーシステムの実施形態を図面を参照して説明する。図１は本発明の第１実施形態の貸しロッカーシステムの外観正面図である。このシステムは集中制御装置１とその両側にそれぞれ複数のロッカーボックス２を配置したものである。集中制御装置１の内部には、レシートや領収書を発行するためのプリンタ１ａ、タッチパネル付きＬＣＤ表示器１ｂ、非接触ＩＣカードＣａからの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【手続補正３】
【補正対象書類名】図面
【補正対象項目名】図１
【補正方法】変更
【補正の内容】
【図１】
2006127249.tif 000015
【手続補正４】
【補正対象書類名】図面
【補正対象項目名】図３
【補正方法】変更
【補正の内容】
【図３】
2006127249.tif 000016